(57)【要約】【課題】温水タンクに給水されても、温水の温度が低下しないようにして、長時間温水洗浄できるようにする。【解決手段】温水を貯めておくタンク本体１内に、電気ヒータ３を内装した加熱室２が形成される。加熱室２の下部に、タンク本体１の下部に通じる入口２１が設けられ、加熱室２の上部に、タンク本体１の上部に通じる出口２２が設けられる。タンク本体１の下部に、水の補給用の給水口４が設けられ、タンク本体１の上部に、水位に応じて上下動可能な取水口５が設けられる。水位が低下したとき、給水口４から補給された水が、タンク本体１の下部に貯まり、入口２１から加熱室２に入る。電気ヒータ３により温められた水は上部に移動する。加熱室２の出口２２から出た温水はタンク本体１の上部に溜まり、温水が水面近くに位置する取水口５から噴射ノズルに供給される。【選択図】図１
0003146159.tif 000002
【実用新案登録請求の範囲】
【請求項１】
温水を貯めておくタンク本体内に、加熱源を内装した加熱室が形成され、加熱室の下部に、タンク本体の下部に通じる入口が設けられ、加熱室の上部に、タンク本体の上部に通じる出口が設けられ、タンク本体の下部に、水の補給用の給水口が設けられ、タンク本体の上部に、水位に応じて上下動可能な取水口が設けられ、補給された水が加熱室に入って、加熱源により温められて上昇し、加熱室により生成された温水がタンク本体の上部に貯まり、この温水が取水口から噴射ノズルに供給されることを特徴とする洗浄機用温水タンク。
【請求項２】
給水口が加熱室の入口よりも低い位置にあることを特徴とする請求項１記載の洗浄機用温水タンク。
【請求項３】
取水口にフロートが取り付けられ、取水口は、常に水面近くに位置することを特徴とする請求項１または２記載の洗浄機用温水タンク。
【請求項４】
加熱室の下部に、加熱源として電気ヒータが設置され、入口が上向きに形成され、出口が上に向かって延びた流路の先端に形成されたことを特徴とする請求項１〜３のいずれかに記載の洗浄機用温水タンク。
【考案の詳細な説明】
【技術分野】
【０００１】
本考案は、温水により自動車等の被洗浄物を洗浄する洗浄機に使用される温水タンクに関する。
【背景技術】
【０００２】
自動車等を洗浄する洗浄機は、温水を高圧噴射して、水噴射では落ちにくい汚れを落とす。洗浄機では、温水を生成して貯める温水タンクを備えており、温水タンクからポンプを介して噴射ノズルに温水が供給される。
【０００３】
温水タンクでは、例えば特許文献１に記載のように、ヒータが内装され、電気を利用して温水を生成する。灯油や軽油等の液体燃料を燃焼させて、温水を生成するものに比べて、ＣＯ２排出量の低減に寄与する。
【特許文献１】特開平９−１２３８７９号公報
【考案の開示】
【考案が解決しようとする課題】
【０００４】
一般的な温水タンクを図２に示す。タンク本体３０に、電気ヒータ３１が内装されている。ボールタップ３２を通じて水道３３から供給された水が、電気ヒータ３１により加熱され、８０℃〜１００℃の温水が生成され、温水タンクに貯められる。温水を噴射するために加圧ポンプ３４が作動すると、タンク本体１内の取水口３５から温水が吸い込まれ、噴射ノズルから温水が噴射される。なお、図中、３６はストレーナ、３７はサーモスタットである。
【０００５】
温水が噴射されると、温水タンクの水位が下がり、ボールタップ３２の弁３８が開いて、タンク本体１の上部から給水される。冷たい水が入ることにより、対流が生じ、温水の温度が徐々に下がってくる。そのため、洗浄に必要な温度を数分しか保てなくなり、洗浄作業に支障を来す。
【０００６】
上記のような構造の温水タンクでは、長時間温水を供給することができない。そこで、本考案は、上記に鑑み、タンク本体内での対流が発生しないようにして、温水の温度低下を防いで、長時間の温水洗浄を可能にする洗浄機用温水タンクの提供を目的とする。
【課題を解決するための手段】
【０００７】
本考案は、温水を貯めておくタンク本体内に、加熱源を内装した加熱室が形成され、加熱室の下部に、タンク本体の下部に通じる入口が設けられ、加熱室の上部に、タンク本体の上部に通じる出口が設けられ、タンク本体の下部に、水の補給用の給水口が設けられ、タンク本体の上部に、水位に応じて上下動可能な取水口が設けられたものである。
【０００８】
給水口から補給された水が加熱室に入って、加熱源により温められて上昇し、出口から出ていく。そして、加熱室により生成された温水がタンク本体の上部に貯まる。この温水が取水口から噴射ノズルに供給される。
【０００９】
タンク本体の下部には、給水口から補給された水が貯まる。加熱室によって生成された温水は上部に貯まり、温かい水と冷たい水とは分離される。そのため、タンク本体内では対流が生じない。補給された冷たい水は、上部に貯まった温水とは混ざらない。そのため、水位の低下により給水されても、温水の温度は低下せず、一定温度の温水を常に供給することができる。
【００１０】
給水口は加熱室の入口よりも低い位置にある。給水口からの水が直接加熱室に入ることを防止できる。そのため、温かい水を加熱することができ、温水の生成時間を短縮できる。
【００１１】
取水口にフロートが取り付けられ、取水口は、常に水面近くに位置する。これによって、給水されたときであっても、取水口から常に温水を取り込むことができる。
【００１２】
加熱室の下部に、加熱源として電気ヒータが設置され、入口が上向きに形成され、出口が上に向かって延びた流路の先端に形成される。上向きの入口により、タンク本体の底に貯まった水が加熱室に流れ込まないようにできる。このような流路を形成することにより、加熱された水を拡散することなく、上部に移動させることができる。これによって、入口から加熱しなければならない水をスムーズに取り入れることができる。
【考案の効果】
【００１３】
本考案によると、生成した温水はタンク本体の上部に貯められ、水位低下によって給水したときでも、タンク本体の下部に給水されるので、温水の温度低下を防ぐことができる。そして、水面近くから洗浄用の温水を取り込むことにより、一定温度の温水を供給することができ、長時間にわたって安定した温水洗浄が可能となる。
【考案を実施するための最良の形態】
【００１４】
本実施形態の洗浄機用温水タンクを図１に示す。本温水タンクは、洗浄機の噴射ノズルから噴射するための温水を生成して貯めておくタンクである。温水を貯めておくタンク本体１内に、温水を生成するための加熱室２が形成され、加熱室２内に、加熱源として電気ヒータ３が設置される。また、タンク本体１内に、水の補給用の給水口４および温水供給用の取水口５が設けられる。
【００１５】
タンク本体１の上部に、ボールタップ６が設けられる。ボールタップ６の弁７がタンク本体１の側壁に取り付けられ、弁７は水道８に接続される。この弁７にパイプ９が接続され、パイプ９はタンク本体１内を下に向かって延びる。パイプ９の先端は、タンク本体１の下部に位置し、この先端が給水口４となる。
【００１６】
タンク本体１の上部に、取水口５が設けられる。加圧ポンプ１０に接続されたホース１１が、タンク本体１の側壁の上部を貫通して、タンク本体１内に差し込まれている。ホース１１の先端が取水口５となる。取水口５には、ストレーナ１２が装着され、ストレーナ１２にフロート１３が取り付けられている。これにより、フレキシブルなホース１１は、水面近くに浮かび、取水口５が水面近くに位置する。そして、水位の変動に応じてフロート１３が上下すると、ホース１１が変形して取水口５も上下動する。したがって、取水口５は、常に水面近くに保持される。
【００１７】
加熱室２は、タンク本体１内の下部の一部が仕切り板２０によって仕切られて形成された空間である。加熱室２の上部および下部に、タンク本体１内に通じる開口が形成され、下部の開口が加熱室２の入口２１とされ、上部の開口が加熱室の出口２２とされる。
【００１８】
電気ヒータ３は、加熱室２の下部において、タンク本体１の側壁に取り付けられる。電気ヒータ３よりも上方では、加熱室２の上部が上に向かって延びた筒状に形成され、この筒状の流路２３の先端の開口が出口２２となる。
【００１９】
なお、この出口２２の位置は、貯められた温水の水位が低下して、水の補給が開始されるときの所定水位よりも低い位置に設定しておくとよい。すなわち、出口２２は、常に水面下にあるのが好ましい。温められた水を常に供給し続けることができ、水温を一定に保てる。
【００２０】
加熱室２の入口２１は、上向きに形成される。タンク本体１の底板に、加熱室２の下部の開口を囲むように立壁２４が形成される。この立壁２４と仕切り板２０との間が入口２１となる。給水口４は、立壁２４よりも低い位置にあるので、入口２１よりも低い位置となる。この立壁２４によって、底板に沿う流れが規制され、給水口４から出た水は、直接加熱室２に流れ込むことを防げる。
【００２１】
上記構成の温水タンクにおいて、所定の温度、例えば８０℃に保たれた温水が貯められる。洗浄機が使用されると、ポンプ１０が作動して、温水が噴射ノズルから噴射される。洗浄中、温水タンクの温水は減り、水位が下がる。所定水位になると、ボールタップ６の弁７が開き、水道水が供給される。タンク本体１の下部に冷たい水が補給される。
【００２２】
電気ヒータ３に通電されると、加熱室２内の水が加熱され、温かい水は流路２３を上に向かって移動し、出口２２から加熱室２外に流れ出す。タンク本体１の上部には温かい水が貯まる。加熱室２内で加熱された水と加熱室２外に貯まった水とは完全に分離されるので、この温水タンクでは対流は生じない。そのため、温水の層と水の層とができる。
【００２３】
加熱室２内での温水の移動に伴い、入口２１から水が加熱室２内に流れ込む。給水口４から出た水は、立壁２４に沿って上方に向かって流れる。このとき、供給された水は温かい水と混じり合う。そのため、冷たい水がいきなり加熱室２に入るのではなく、温められた水が加熱室２に入る。これにより、加熱時間を短縮でき、すばやく温められた水が加熱室２からタンク本体１内に移動する。タンク本体１の上部には、温水が貯まっていき、温度の低い水は下部に移動して、再び加熱される。
【００２４】
このように、冷たい水が給水されても、温水タンク内の上部に、一定した温度の温水を十分に貯めておくことができる。水位の変動にかかわらず、取水口５は常に水面近くにあるので、一定温度の温水を洗浄用に絶えず供給することができる。そして、加熱室２において温水が生成され、上部の温水の層に絶えず補給される。したがって、長時間温水洗浄を続けることができる。
【００２５】
ところで、給水口４から水が供給されて、サーモスタット２５により水温が下がったことが検出されたときに、電気ヒータ３への通電が開始される。これに代わり、常に電気ヒータ３に通電しておいてもよい。温水が加熱室２からタンク本体１内に移動し、全体の温水の温度が一定に保持され、さらに長時間温水を供給し続けることができる。
【００２６】
なお、本考案は、上記実施形態に限定されるものではなく、本考案の範囲内で上記実施形態に多くの修正および変更を加え得ることは勿論である。加熱源として、ヒートポンプを用いてもよい。
【図面の簡単な説明】
【００２７】
【図１】本考案の洗浄機用温水タンクの内部機構を示す図
【図２】従来の洗浄機用温水タンクの内部機構を示す図
【符号の説明】
【００２８】
１    タンク本体
２    加熱室
３    電気ヒータ
４    給水口
５    取水口
６    ボールタップ
２１    入口
２２    出口
【図１】
0003146159.tif 000003
【図２】
0003146159.tif 000004